(57)【要約】【課題】  従来のトイレットペーパーホルダーは、蓋を手で少し持ち上げ、トイレットペーパーを摘まみ、引き出さなければならない場合があり、とても面倒であった。【解決手段】  トイレットペーパーを切る際の蓋を押さえる力によって、弾性質部（１）が保っていた蓋とトイレットペーパーとの間の空間が縮み、それに連動しフレキシブル部（２）等を介して送り出し部（３）は下がり、ペーパーを切り終え力を抜くと、押さえられて縮んでいた空間は弾性質部（１）によって元の位置に戻ろうとして蓋を持ち上げ、それに連動しフレキシブル部（２）等を介してペーパーを引っ張り出している時の回転方向には抵抗せず、その逆回転方向だけに抵抗しペーパーを送り出す性質を有する送り出し部（３）も元の位置に戻ろうとして上に移動しながらトイレットペーパーを送り出す方法とトイレットペーパーの送り出し機構とトイレットペーパーホルダーを成した。【選択図】  図４
2005144112.tif 000002
【特許請求の範囲】
【請求項１】
トイレットペーパーホルダー蓋部下面に、蓋部とトイレットペーパーとの間に空間を保つ性質を有する弾性質部（１）を固定部（１ｃ）により固定し、弾性質部（１）に設けた取り付け部（１ａ）にフレキシブル部（２）を取り付け、フレキシブル部（２）を弾性質部（１）に設けたフレキシブル通部（１ｂ）に通し、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴としたトイレットペーパーの送り出し機構とトイレットペーパーホルダー。
【請求項２】
トイレットペーパーホルダー蓋部下面に、蓋部とトイレットペーパーとの間に空間を保つ性質を有する弾性質部（１）を固定部（１ｃ）により固定し、弾性質部（１）に設けた取り付け部（１ａ）にフレキシブル部（２）を取り付け、フレキシブル部（２）をトイレットペーパーホルダー蓋部下面に設けたフレキシブルの通部（１ｂ）に通し、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴としたトイレットペーパーの送り出し機構とトイレットペーパーホルダー。
【請求項３】
トイレットペーパーホルダー蓋部付け根に、取り付け部（１ｅ）により、蓋部とトイレットペーパーとの間に空間を保つ性質を有する弾性質部（１）を取り付け、弾性質部（１）に設けた取り付け部（１ａ）にフレキシブル部（２）を取り付け、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴としたトイレットペーパーの送り出し機構とトイレットペーパーホルダー。
【請求項４】
トイレットペーパーホルダー蓋部下面に、蓋部とトイレットペーパーとの間に空間を保つ性質を有する弾性質部（１）を固定部（１ｃ）により固定し、トイレットペーパーホルダー蓋部下面に取り付け部（１ａ）を設け、取り付け部（１ａ）にフレキシブル部（２）を取り付け、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴としたトイレットペーパーの送り出し機構とトイレットペーパーホルダー。
【請求項５】
トイレットペーパーホルダー蓋部下面に、蓋部とトイレットペーパーとの間に空間を保つ性質を有する弾性質部（１）はシーソーのように動く形状になっており、軸部（１ｄ）に取り付けられ、固定部（１ｃ）によりトイレットペーパーホルダー蓋部下面に固定され、弾性質部（１）の端部には取り付け部（１ａ）を設け、取り付け部（１ａ）にフレキシブル部（２）を取り付け、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴としたトイレットペーパーの送り出し機構とトイレットペーパーホルダー。
【請求項６】
弾性質部（１）は、トイレットペーパーホルダー蓋部とトイレットペーパーとの間に空間を保つ性質を有し、蓋部を押す力に対して空間が縮むことにより、請求項１０記載のトイレットペーパーの送り出し方法に基づき、その機能を果たす事とし、素材、形状、又はトイレットペーパーホルダー蓋部への取り付け方については、請求項１０記載のトイレットペーパーの送り出し方法に基づき、その機能を果たすのであればどのような素材、形状、取り付け方でもよい事を特徴とした請求項１から５記載のトイレットペーパーの送り出し機構とトイレットペーパーホルダー。
【請求項７】
フレキシブル部（２）は、取り付け部（１ａ）介して弾性質体（１）、取り付け部（２ａ）を介して送り出し部（３）とを繋ぐ事により、請求項１０記載のトイレットペーパーの送り出し方法に基づき、その機能を果たす事とし、場合によっては取り付け部（１ａ）取り付け部（２ａ）は必要の限りではなく、素材、形状についても、請求項１０記載のトイレットペーパーの送り出し方法に基づき、その機能を果たすのであればどのような素材、形状でもよい事を特徴とした請求項１から６記載のトイレットペーパーの送り出し機構とトイレットペーパーホルダー。
【請求項８】
送り出し部（３）は、トイレットペーパーを引っ張り出す回転方向には抵抗せずに、その逆回転方向だけに抵抗する性質を有する事により、請求項１０記載のトイレットペーパーの送り出し方法に基づき、その機能を果たす事とし、素材、形状についても請求項１０記載のトイレットペーパーの送り出し方法に基づき、その機能を果たすのであればどのような素材、形状、でもよいことを特徴とした請求項１から７記載のトイレットペーパーの送り出し機構トイレットペーパーホルダー。
【請求項９】
請求項１０記載のトイレットペーパーの送り出し方法に基づいたトイレットペーパーの送り出し機構とトイレットペーパーホルダーが機能するために、送り出し部（３）の重さが足りない場合などは、送り出し部（３）に重り部（４）を取り付けて軽さを補う事を特徴とした請求項１から８記載のトイレットペーパーの送り出し機構とトイレットペーパーホルダー。
【請求項１０】
トイレットペーパーホルダーの蓋部を押さえる力により、弾性質部（１）の有する性質によって蓋部とトイレットペーパーの間に保たれていた空間が縮み、その動きにフレキシブル部（２）を介してトイレットペーパーを引っ張り出す回転方向には抵抗せず、その逆回転方向だけに抵抗する性質を有する送り出し部（３）は、トイレットペーパーに抵抗することなく下方向へ下がり、トイレットペーパーを切り終わり蓋部を押さえていた力が無くなると、縮んでいた空間は弾性質部（１）の有する性質によって元に戻ろうとし、その動きにフレキシブル部（２）を介して送り出し部（３）は、その性質によりトイレットペーパーを送り出しながら元の位置に戻る事を特徴とする請求項１から９記載のトイレットペーパーの送り出し方法。
【請求項１１】
トイレットペーパーホルダーの蓋部を押さえる力により、弾性質部（１）の有する性質によって蓋部とトイレットペーパーの間に保たれていた空間が縮み、その動きにフレキシブル部（２）を介してトイレットペーパーを引っ張り出す回転方向には抵抗せず、その逆回転方向だけに抵抗する性質を有する送り出し部（３）は、トイレットペーパーに抵抗することなく下方向へ下がり、トイレットペーパーを切り終わり蓋部を押さえていた力が無くなると、縮んでいた空間は弾性質部（１）の有する性質によって元に戻ろうとし、その動きにフレキシブル部（２）を介して送り出し部（３）は、その性質によりトイレットペーパーを送り出しながら元の位置に戻る事を特徴とする請求項１から９記載のトイレットペーパーの送り出し方法を応用したトイレットペーパーの送り出し機構とトイレットペーパーホルダー。
【請求項１２】
トイレットペーパーホルダー蓋部の先端は刃部（１ｉ）となっており、蓋部とトイレットペーパーとの間に空間を保つ性質を有する弾性質部（１）はトイレットペーパーホルダー蓋部付け根に取り付け部（１ｅ）により取り付けられ、その弾性質部（１）にはトイレットペーパー横ズレ防止部（１ｈ）と刃部受け部（１ｊ）と軸部（１ｆ）を設け、軸部（１ｆ）には棒部（１ｇ）が取り付けられ、その棒部（１ｇ）にはローラー部（１ｋ）と取り付け部（１ａ）を設け、ローラー部（１ｋ）にはスプリングが取り付けられ、そのスプリングはトイレットペーパーホルダー蓋部に設けたフックと繋がっており、取り付け部（１ａ）の方にはフレキシブル部（２）が取り付けられ、そのフレキシブル部（２）はトイレットペーパーホルダー蓋部に設けられたフレキシブル通部（１ａ）を通り、取り付け部（２ａ）により、トイレットペーパーを引っ張り出す回転方向には抵抗せずに、その逆回転方向だけに抵抗する性質を有する送り出し部（３）と繋がっておいる事を特徴とした請求項１０記載のトイレットペーパーの送り出し方法に切断機能を組み込んだ請求項１１記載のトイレットペーパーホルダー。
【発明の詳細な説明】
【技術分野】
【０００１】  本発明は、トイレットペーパーの送り出し方法とトイレットペーパーの送り出し機構とトイレットペーパーホルダーに関するものである。
【背景技術】
【０００２】  従来のトイレットペーパーホルダーは、紙を切った際、蓋部先端より摘める程度の紙が出ていれば問題なく、そうでなければ蓋部を手で少し上げて紙を摘まみ、そして引き出していた。
【発明の開示】
【発明が解決しようとする課題】
【０００３】  従来のトイレットペーパーホルダーでは、蓋部を手で少し持ち上げ、紙を摘まみ出さなくてはならないの場合は、動作としてはとても面倒である。【０００４】  従来のトイレットペーパーホルダーでは、蓋部を手で少し持ち上げ、紙を摘まみ出さなくてはならないの場合や、トイレットペーパーを切る動作は、とても面倒である。
【課題を解決するための手段】
【０００５】  トイレットペーパーホルダー蓋部下面に、蓋部とトイレットペーパーとの間に空間を保つ性質を有する弾性質部（１）を固定部（１ｃ）により固定し、弾性質部（１）に設けた取り付け部（１ａ）にフレキシブル部（２）を取り付け、フレキシブル部（２）を弾性質部（１）に設けたフレキシブル通部（１ｂ）に通し、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴としたトイレットペーパーの送り出し機構とトイレットペーパーホルダーを成した。【０００６】  トイレットペーパーホルダー蓋部下面に、蓋部とトイレットペーパーとの間に空間を保つ性質を有する弾性質部（１）を固定部（１ｃ）により固定し、弾性質部（１）に設けた取り付け部（１ａ）にフレキシブル部（２）を取り付け、フレキシブル部（２）をトイレットペーパーホルダー蓋部下面に設けたフレキシブルの通部（１ｂ）に通し、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴としたトイレットペーパーの送り出し機構とトイレットペーパーホルダーを成した。【０００７】  トイレットペーパーホルダー蓋部付け根に、取り付け部（１ｅ）により、蓋部とトイレットペーパーとの間に空間を保つ性質を有する弾性質部（１）を取り付け、弾性質部（１）に設けた取り付け部（１ａ）にフレキシブル部（２）を取り付け、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴としたトイレットペーパーの送り出し機構とトイレットペーパーホルダーを成した。【０００８】  トイレットペーパーホルダー蓋部下面に、蓋部とトイレットペーパーとの間に空間な保つ性質を有する弾性質部（１）を固定部（１ｃ）により固定し、トイレットペーパーホルダー蓋部下面に取り付け部（１ａ）を設け、取り付け部（１ａ）にフレキシブル部（２）を取り付け、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴としたトイレットペーパーの送り出し機構とトイレットペーパーホルダーを成した。【０００９】  トイレットペーパーホルダー蓋部下面に、蓋部とトイレットペーパーとの間に空間を保つ性質を有する弾性質部（１）はシーソーのように動く形状になっており、軸部（１ｄ）に取り付けられ、固定部（１ｃ）によりトイレットペーパーホルダー蓋部下面に固定され、弾性質部（１）の端部には取り付け部（１ａ）を設け、取り付け部（１ａ）にフレキシブル部（２）を取り付け、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴としたトイレットペーパーの送り出��機構とトイレットペーパーホルダーを成した。【００１０】  弾性質部（１）は、トイレットペーパーホルダー蓋部とトイレットペーパーとの間に空間を保つ性質を有し、蓋部を押す力に対して空間が縮むことにより、請求項１０記載のトイレットペーパーの送り出し方法に基づき、その機能を果たす事とし、素材、形状、又はトイレットペーパーホルダー蓋部への取り付け方については、請求項１０記載のトイレットペーパーの送り出し方法に基づき、その機能を果たすのであればどのような素材、形状、取り付け方でもよい事を特徴とした請求項１から５記載のトイレットペーパーの送り出し機構とトイレットペーパーホルダーを成した。【００１１】  フレキシブル部（２）は、取り付け部（１ａ）介して弾性質体（１）、取り付け部（２ａ）を介して送り出し部（３）とを繋ぐ事により、請求項１０記載のトイレットペーパーの送り出し方法に基づき、その機能を果たす事とし、場合によっては取り付け部（１ａ）取り付け部（２ａ）は必要の限りではなく、素材、形状についても、請求項１０記載のトイレットペーパーの送り出し方法に基づき、その機能を果たすのであればどのような素材、形状でもよい事を特徴とした請求項１から６記載のトイレットペーパーの送り出し機構とトイレットペーパーホルダーを成した。【００１２】  送り出し部（３）は、トイレットペーパーを引っ張り出す回転方向には抵抗せずに、その逆回転方向だけに抵抗する性質を有する事により、請求項１０記載のトイレットペーパーの送り出し方法に基づき、その機能を果たす事とし、素材、形状についても請求項１０記載のトイレットペーパーの送り出し方法に基づき、その機能を果たすのであればどのような素材、形状、でもよいことを特徴とした請求項１から７記載のトイレットペーパーの送り出し機構トイレットペーパーホルダーを成した。【００１３】  請求項１０記載のトイレットペーパーの送り出し方法に基づいたトイレットペーパーの送り出し機構とトイレットペーパーホルダーが機能するために、送り出し部（３）の重さが足りない場合などは、送り出し部（３）に重り部（４）を取り付けて軽さを補う事を特徴とした請求項１から８記載のトイレットペーパーの送り出し機構とトイレットペーパーホルダーを成した。【００１４】  トイレットペーパーホルダーの蓋部を押さえる力により、弾性質部（１）の有する性質によって蓋部とトイレットペーパーの間に保たれていた空間が縮み、その動きにフレキシブル部（２）を介してトイレットペーパーを引っ張り出す回転方向には抵抗せず、その逆回転方向だけに抵抗する性質を有する送り出し部（３）は、トイレットペーパーに抵抗することなく下方向へ下がり、トイレットペーパーを切り終わり蓋部を押さえていた力が無くなると、縮んでいた空間は弾性質部（１）の有する性質によって元に戻ろうとし、その動きにフレキシブル部（２）を介して送り出し部（３）は、その性質によりトイレットペーパーを送り出しながら元の位置に戻る事を特徴とする請求項１から９記載のトイレットペーパーの送り出し方法を成した。【００１５】  トイレットペーパーホルダーの蓋部を押さえる力により、弾性質部（１）の有する性質によって蓋部とトイレットペーパーの間に��たれていた空間が縮み、その動きにフレキシブル部（２）を介してトイレットペーパーを引っ張り出す回転方向には抵抗せず、その逆回転方向だけに抵抗する性質を有する送り出し部（３）は、トイレットペーパーに抵抗することなく下方向へ下がり、トイレットペーパーを切り終わり蓋部を押さえていた力が無くなると、縮んでいた空間は弾性質部（１）の有する性質によって元に戻ろうとし、その動きにフレキシブル部（２）を介して送り出し部（３）は、その性質によりトイレットペーパーを送り出しながら元の位置に戻る事を特徴とする請求項１から９記載のトイレットペーパーの送り出し方法を応用したトイレットペーパーの送り出し機構とトイレットペーパーホルダーを成した。【００１６】  トイレットペーパーホルダー蓋部の先端は刃部（１ｉ）となっており、蓋部とトイレットペーパーとの間に空間を保つ性質を有する弾性質部（１）はトイレットペーパーホルダー蓋部付け根に取り付け部（１ｅ）により取り付けられ、その弾性質部（１）にはトイレットペーパー横ズレ防止部（１ｈ）と刃部受け部（１ｊ）と軸部（１ｆ）を設け、軸部（１ｆ）には棒部（１ｇ）が取り付けられ、その棒部（１ｇ）にはローラー部（１ｋ）と結部（１ａ）を設け、ローラー部（１ｋ）にはスプリングが取り付けられ、そのスプリングはトイレットペーパーホルダー蓋部に設けたフックと繋がっており、取り付け部（１ａ）の方にはフレキシブル部（２）が取り付けられ、そのフレキシブル部（２）はトイレットペーパーホルダー蓋部に設けられたフレキシブル通部（１ａ）を通り、取り付け部（２ａ）により、トイレットペーパーを引っ張り出す回転方向には抵抗せずに、その逆回転方向だけに抵抗する性質を有する送り出し部（３）と繋がっておいる事を特徴とした請求項１０記載のトイレットペーパーの送り出し方法に切断機能を組み込んだ請求項１１記載のトイレットペーパーホルダーを成した。
【発明の効果】
【００１７】  トイレットペーパーホルダー蓋部を押しながらトイレットペーパー摘まんで切り、手を放すと、その反動により蓋部先端より、次に取りやすいようにトイレットペーパーが送り出されるので、従来のトイレットペーパーホルダーのように、蓋部を手で少し上げ、紙を摘まみ出すような面倒な動作をしなくてすむ。【００１８】  トイレットペーパーホルダー蓋部を押すとトイレットペーパーが切れ、手を放すと、その反動により蓋部先端より、次に取りやすいようにトイレットペーパーが送り出されるので、従来のトイレットペーパーホルダーのように、蓋部を手で少し上げ、紙を摘まみ出すような面倒な動作や、切る動作をしなくてすむ。
【実施例】
【００１９】  実施例１を図１に基づいて説明する。請求項１と１０の実施例として、トイレットペーパーホルダー蓋部下面に、蓋部とトイレットペーパーとの間に空間を保つ性質を有する弾性質部（１）を固定部（１ｃ）により固定し、弾性質部（１）に設けた取り付け部（１ａ）にフレキシブル部（２）を取り付け、フレキシブル部（２）を弾性質部（１）に設けたフレキシブル通部（１ｂ）に通し、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴とし、トイレットペーパーホルダー蓋部を押さえながらトイレットペーパーを切る際の押さえる力により、弾性質部（１）によって蓋部とトイレットペーパーとの間を保っていた空間が縮み、それにより送り出し部（３）の位置は、取り付け部（１ａ）フレキシブル通部（１ｂ）フレキシブル部（２）取り付け部（２ａ）を介して下方向に移動し、トイレットペーパーを切り終わると、押さえられ縮んでいた空間を弾性質部（１）が元通りにしようとしてトイレットペーパーホルダー蓋部を持ち上げ、取り付け部（１ａ）フレキシブル通部（１ｂ）フレキシブル部（２）取り付け部（２ａ）を介して、送り出し部（３）も元の位置に戻ろうとして上方向に移動しながらトイレットペーパーを送り出す。【００２０】  実施例２を図２に基づいて説明する。請求項２と１０の実施例として、トイレットペーパーホルダー蓋部下面に、蓋部とトイレットペーパーとの間に空間を保つ性質を有する弾性質部（１）を固定部（１ｃ）により固定し、弾性質部（１）に設けた取り付け部（１ａ）にフレキシブル部（２）を取り付け、フレキシブル部（２）をトイレットペーパーホルダー蓋部下面に設けたフレキシブルの通部（１ｂ）に通し、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴とし、トイレットペーパーホルダー蓋部を押さえながらトイレットペーパーを切る際の押さえる力により、弾性質部（１）によって蓋部とトイレットペーパーとの間を保っていた空間が縮み、それにより送り出し部（３）の位置は、取り付け部（１ａ）フレキシブル通部（１ｂ）フレキシブル部（２）取り付け部（２ａ）を介して下方向に移動し、トイレットペーパーを切り終わると、押さえられ縮んでいた空間を弾性質部（１）が元通りにしようとしてトイレットペーパーホルダー蓋部を持ち上げ、取り付け部（１ａ）フレキシブルの通部（１ｂ）フレキシブル部（２）取り付け部（２ａ）を介して、送り出し部（３）も元の位置に戻ろうとして上方向に移動しながらトイレットペーパーを送り出す。【００２１】  実施例３を図３に基づいて説明する。請求項３と１０の実施例として、トイレットペーパーホルダー蓋部付け根に、取り付け部（１ｅ）により、蓋部とトイレットペーパーとの間に空間を保つ性質を有する弾性質部（１）を取り付け、弾性質部（１）に設けた取り付け部（１ａ）にフレキシブル部（２）を取り付け、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴とし、トイレットペーパーホルダー蓋部を押さえながらトイレットペーパーを切る際の押さえる力により、弾性質部（１）によって蓋部とトイレットペーパーとの間を保っていた空間が縮み、それにより送り出し部（３）の位置は、取り付け部（１ａ）フレキシブル部（２）取り付け部（２ａ）を介して下方向に移動し、トイレットペーパーを切り終わると、押さえられ縮んでいた空間を弾性質部（１）が元通りにしようとしてトイレットペーパーホルダー蓋部を持ち上げ、取り付け部（１ａ）フレキシブル部（２）取り付け部（２ａ）を介して、送り出し部（３）も元の位置に戻ろうとして上方向に移動しながらトイレットペーパーを送り出す。【００２２】  実施例４を図４に基づいて説明する。請求項４と１０の実施例として、トイレットペーパーホルダー蓋部下面に、蓋部とトイレットペーパーとの間に空間を保つ性質を有する弾性質部（１）を固定部（１ｃ）により固定し、トイレットペーパーホルダー蓋部下面に取り付け部（１ａ）を設け、取り付け部（１ａ）にフレキシブル部（２）を取り付け、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴とし、トイレットペーパーホルダー蓋部を押さえながらトイレットペーパーを切る際の押さえる力により、弾性質部（１）によって蓋部とトイレットペーパーとの間を保っていた空間が縮み、それにより送り出し部（３）の位置は、取り付け部（１ａ）フレキシブル部（２）取り付け部（２ａ）を介して下方向に移動し、トイレットペーパーを切り終わると、押さえられ縮んでいた空間を弾性質部（１）が元通りにしようとしてトイレットペーパーホルダー蓋部を持ち上げ、取り付け部（１ａ）フレキシブル部（２）取り付け部（２ａ）を介して、送り出し部（３）も元の位置に戻ろうとして上方向に移動しながらトイレットペーパーを送り出す。【００２３】  実施例５を図５に基づいて説明する。請求項５と１０の実施例として、トイレットペーパーホルダー蓋部下面に、蓋部とトイレットペーパーとの間に空間を保つ性質を有する弾性質部（１）はシーソーのように動く形状になっており、軸部（１ｄ）に取り付けられ、固定部（１ｃ）によりトイレットペーパーホルダー蓋部下面に固定され、弾性質部（１）の端部には取り付け部（１ａ）を設け、取り付け部（１ａ）にフレキシブル部（２）を取り付け、取り付け部（２ａ）によりフレキシブル部（２）は、トイレットペーパーを引っ張り出す回転方向には抵抗せずに、その逆回転方向だけに抵抗する性質を有する送り出し部（３）に取り付けられる事を特徴とし、トイレットペーパーホルダー蓋部を押さえながらトイレットペーパーを切る際の押さえる力により、弾性質部（１）により蓋部とトイレットペーパーとの空を保っていた空間が縮み、弾性質部（１）の端部は固定部（１ｃ）を軸にシーソーのように下方向に動くことにより送り出し部（３）の位置も、取り付け部（１ａ）フレキシブル部（２）取り付��部（２ａ）を介して下方向に移動し、トイレットペーパーを切り終わると、押さえられ縮んでいた空間を弾性質部（１）が元通りにしようとしてトイレットペーパーホルダー蓋部を持ち上げると、弾性質部（１）の端部は固定部（１ｃ）を軸にシーソーのように上方向に動くことにより、取り付け部（１ａ）フレキシブル部（２）取り付け部（２ａ）を介して、送り出し部（３）は元の位置に戻ろうとして上方向に移動しながらトイレットペーパーを送り出す。【００２４】  実施例６を図６に基づいて説明する。請求項９と１０の実施例として、請求項１０記載のトイレットペーパーの送り出し方法に基づいたトイレットペーパーの送り出し機構とトイレットペーパーホルダーが機能するために、送り出し部（３）の重さが足りない場合などは、送り出し部（３）に重り部（４）を取り付けて軽さを補う。【００２５】  実施例７を図７に基づいて説明する。請求項１１の実施例として、送り出し部（３）とフレキシブル部（２）が一体型となっている。【００２６】  実施例８を図８に基づいて説明する。請求項１１の実施例として、フレキシブル部（２）が送り出し部（３）を貫通したものとなっており、取り付け部（２ａ）は必要の限りではなく、これは請求項７の実施例でもある。【００２７】  実施例９を図９に基づいて説明する。請求項１１の実施例として、請求項５と１０の実施例５に、刃部（１ｉ）を固定部（１ｃ）に、刃部受け部（１ｊ）を弾性質部（１）に設け、トイレットペーパーを切る機構を組み合わせている。【００２８】  実施例１０を図１０に基づいて説明する。請求項１１の実施例として、請求項５と１０の実施例５に、刃部（１ｉ）を固定部（１ｃ）に、刃部受け部（１ｊ）を弾性質部（１）に設け、トイレットペーパーを切る機構を組み合わせ、軸部（１ｆ）を軸にして棒部（１ｇ）とローラー部（１ｋ）を設けることにより、請求項１と１０の実施例１であるフレキシブル部（２）が取り付け部（１ａ）から固定部（１ｃ）に設けたフレキシブル通部（１ｃ）を通り、取り付け部（２ａ）を介して送り出し部（２ａ）に至る特徴も組み合わせている。【００２９】  実施例１１を図１１に基づいて説明する。請求項１１の実施例として、請求項３と１０の実施例３の特徴である弾性質部（１）の取り付け部（１ｅ）と、刃部（１ｉ）をトイレットペーパーホルダー蓋部下面に、刃部受け部（１ｊ）を弾性質部（１）に設けて、トイレットペーパーを切る機構を組み合わせ、軸部（１ｆ）を軸にして棒部（１ｇ）とローラー部（１ｋ）を設けることにより、請求項２と１０の実施例２の特徴であるフレキシブル部（２）が取り付け部（１ａ）からトイレットペーパーホルダー蓋部下面に設けたフレキシブル通部（１ｃ）を通り、取り付け部（２ａ）を介して送り出し部（２ａ）に至る特徴も組み合わせている。【００３０】  実施例１２を図１２に基づいて説明する。請求項６の弾性質部（１）の取り付け方実施例として、ネジによって固定する。【００３１】  実施例１３を図１３に基づいて説明する。請求項６の弾性質部（１）の取り付け方実施例として、粘着物によって固定する。【００３２】  実施例１４を図１４に基づいて説明する。請求項６の弾性質部（１）の取り付け方実施例とし��、トイレットペーパーホルダー蓋部との一体成形によって固定する。【００３３】  実施例１５を図１５に基づいて説明する。請求項６の弾性質部（１）の取り付け方実施例として、トイレットペーパーホルダー蓋部付け根に、弾性質部（１）の取り付け部（１ｅ）によって固定する。【００３４】  実施例１６を図１６に基づいて説明する。請求項６の弾性質部（１）の実施例として、板バネによって弾性質とする。【００３５】  実施例１７を図１７に基づいて説明する。請求項６の弾性質部（１）の実施例として、スポンジクッションによって弾性質とする。【００３６】  実施例１８を図１８に基づいて説明する。請求項６の弾性質部（１）の実施例として、ゴムによって弾性質とする。【００３７】  実施例１９を図１９に基づいて説明する。請求項６の弾性質部（１）の実施例として、磁石のＮ極とＮ極、もしくはＳ極とＳ極によって弾性質とする。【００３８】  実施例２０を図２０に基づいて説明する。請求項６の弾性質部（１）の実施例として、スプリングバネによって弾性質とする。【００３９】  実施例２１を図２１に基づいて説明する。請求項６の弾性質部（１）の実施例として、ジャバラ形状物によって弾性質とする。【００４０】  実施例２２を図２２に基づいて説明する。請求項６の弾性質部（１）の実施例として、ローラー部（１ｋ）と軸部（１ｄ）を繋ぐスプリングバネによって弾性質とする。【００４１】  実施例２３を図２３に基づいて説明する。請求項６の弾性質部（１）の実施例として、焼き入りハリガネ等のヒモ状金属によって弾性質とする。【００４２】  実施例２４を図２４に基づいて説明する。請求項１と１０における請求項６の弾性質部（１）の実施例である。【００４３】  実施例２５を図２５に基づいて説明する。請求項２と１０における請求項６の弾性質部（１）の実施例である。【００４４】  実施例２６を図２６に基づいて説明する。請求項３と１０における請求項６の弾性質部（１）の実施例である。【００４５】  実施例２７を図２７に基づいて説明する。請求項４と１０における請求項６の弾性質部（１）の実施例である。【００４６】  実施例２８を図２８に基づいて説明する。請求項５と１０における請求項６の弾性質部（１）の実施例である。【００４７】  実施例２９を図２９に基づいて説明する。請求項１１における請求項６の弾性質部（１）の実施例である。【００４８】  実施例３０を図３０に基づいて説明する。請求項１１における請求項６の弾性質部（１）の実施例である。【００４９】  実施例３１を図３１に基づいて説明する。請求項２と１０における請求項６の弾性質部（１）の実施例である。【００５０】  実施例３２を図３２に基づいて説明する。請求項２と１０における請求項６の弾性質部（１）の実施例であり、フレキシブル部（２）はヒモ類、ヒモ状類だけでなくシート類でても、その機能を果たすという実施例でもあり、フレキシブル通部（１ｂ）は、いかなる形状、素材のフレキシブル部（２）であっても通すためにローラー機能を備えている実施例でもある。【００５１】  実施例３３を図３３に基づいて説明する。請求項３の送り出し部（３）の実施例である。【００５２】  実施例３４を図３４に基づいて説明する。請求項���の送り出し部（３）の実施例である。【００５３】  実施例３５を図３５に基づいて説明する。請求項３の送り出し部（３）の実施例である。【００５４】  実施例３６を図３６に基づいて説明する。請求項３の送り出し部（３）の実施例である。【００５５】  実施例３７を図３７に基づいて説明する。請求項３の送り出し部（３）の実施例である。【００５６】  実施例３８を図３８に基づいて説明する。請求項３の送り出し部（３）の実施例である。【００５７】  実施例３９を図３９に基づいて説明する。実施例２３における図２３のトイレットペーパーホルダー蓋部と一体成形と弾性質部（１）の固定部（１ａ）との断面図である。【００５８】  実施例４０を図４０に基づいて説明する。請求項６の弾性質部（１）の取り付け部（１ｅ）の実施例として薄くトイレットペーパーホルダー蓋部の付け根の隙間にはいるようにしたものである。【００５９】  実施例４１を図４１に基づいて説明する。請求項６の弾性質部（１）の取り付け部（１ｅ）の実施例として薄くトイレットペーパーホルダー蓋部の付け根の隙間に入るように、更にトイレットペーパーホルダー蓋部を取り外さなくても装着できるようになっている。【００６０】  実施例４２を図４２に基づいて説明する。請求項６の弾性質部（１）の取り付け部（１ｅ）の実施例として細くトイレットペーパーホルダー蓋部の付け根の隙間に入るように、更にトイレットペーパーホルダー蓋部を取り外さなくても装着できるようになっている。【００６１】  実施例４３を図４３に基づいて説明する。フレキシブル通部（１ｂ）の実施例としてリング状、又はフック状などの形状になっている。【００６２】  実施例４４を図４４に基づいて説明する。フレキシブル通部（１ｂ）の実施例として滑車、又は滑車状、などローラー機能を備えた形状になっている。【００６３】  実施例４５を図４５に基づいて説明する。請求項１２の実施例として、トイレットペーパーホルダー蓋部の先端は刃部（１ｉ）となっており、蓋部とトイレットペーパーとの間に空間を保つ性質を有する弾性質部（１）はトイレットペーパーホルダー蓋部付け根に取り付け部（１ｅ）により取り付けられ、その弾性質部（１）にはトイレットペーパー横ズレ防止部（１ｈ）と刃部受け部（１ｊ）と軸部（１ｆ）を設け、軸部（１ｆ）には棒部（１ｇ）が取り付けられ、その棒部（１ｇ）にはローラー部（１ｋ）と取り付け部（１ａ）を設け、ローラー部（１ｋ）にはスプリングが取り付けられ、そのスプリングはトイレットペーパーホルダー蓋部に設けたフックと繋がっており、取り付け部（１ａ）の方にはフレキシブル部（２）が取り付けられ、そのフレキシブル部（２）はトイレットペーパーホルダー蓋部に設けられたフレキシブル通部（１ａ）を通り、取り付け部（２ａ）により、トイレットペーパーを引っ張り出す回転方向には抵抗せずに、その逆回転方向だけに抵抗する性質を有する送り出し部（３）と繋がっている事を特徴とし、トイレットペーパーホルダー蓋部を押さえながらトイレットペーパーを切る際の押さえる力によって、ローラー部（１ｋ）と蓋部下面に設けたフックとの間を繋ぐスプリングによって抵抗しながらも、弾性質部（１）によって蓋部とトイレットペーパーとの間を保たれていた空間が縮み、刃部（１ｉ）と刃部受け部（１ｊ）が、かみ合う事によりトイレットペーパーを切断し、一方で棒部（１ｇ）は軸部（１ｆ）を軸に取り付け部（１ａ）がシーソーのように上方向に移動し、それにより送り出し部（３）の位置は、取り付け部（１ａ）フレキシブル部（２）フレキシブル通部（１ｂ）取り付け部（２ａ）を介して下方向に移動し、トイレットペーパーを切り終わると、押されて縮んでいた空間が弾性質部（１）によって元通りになろうとしてトイレットペーパーホルダー蓋部を持ち上げ、取り付け部（１ａ）フレキシブル部（２）フレキシブル通部（１ｂ）取り付け部（２ａ）を介して、送り出し部（３）は元の位置に戻ろうとして上方向に移動しながらトイレットペーパーを送り出す。
【図面の簡単な説明】
【００６４】
【図１】  実施例１を示した側面図。
【図２】  実施例２を示した側面図。
【図３】  実施例３を示した側面図。
【図４】  実施例４を示した側面図。
【図５】  実施例５を示した側面図。
【図６】  実施例６を示した側面図。
【図７】  実施例７を示した側面図。
【図８】  実施例８を示した側面図。
【図９】  実施例９を示した側面図。
【図１０】  実施例１０を示した側面図。
【図１１】  実施例１１を示した側面図。
【図１２】  実施例１２を示した側面拡大図。
【図１３】  実施例１３を示した側面拡大図。
【図１４】  実施例１４を示した側面拡大図。
【図１５】  実施例１５を示した側面拡大図。
【図１６】  実施例１６を示した側面拡大図。
【図１７】  実施例１７を示した側面拡大図。
【図１８】  実施例１８を示した側面拡大図。
【図１９】  実施例１９を示した側面拡大図。
【図２０】  実施例２０を示した側面拡大図。
【図２１】  実施例２１を示した側面拡大図。
【図２２】  実施例２２を示した側面拡大図。
【図２３】  実施例２３を示した側面拡大図。
【図２４】  実施例２４を示した透視図。
【図２５】  実施例２５を示した透視図。
【図２６】  実施例２６を示した透視図。
【図２７】  実施例２７を示した透視図。
【図２８】  実施例２８を示した透視図。
【図２９】  実施例２９を示した透視図。
【図３０】  実施例３０を示した透視図。
【図３１】  実施例３１を示した透視図。
【図３２】  実施例３２を示した透視図。
【図３３】  実施例３３を示した部分図。
【図３４】  実施例３４を示した部分図。
【図３５】  実施例３５を示した部分図。
【図３６】  実施例３６を示した部分図。
【図３７】  実施例３７を示した部分図。
【図３８】  実施例３８を示した部分図。
【図３９】  実施例３９を示した断面図。
【図４０】  実施例４０を示した部分図。
【図４１】  実施例４１を示した部分図。
【図４２】  実施例４２を示した部分図。
【図４３】  実施例４３を示した部分図。
【図４４】  実施例４４を示した部分図。
【図４５】  実施例４５を示した透視図。
【符号の説明】
【００６５】１    弾性質部
１ａ  取り付け部
１ｂ  フレキシブル通部
１ｃ  固定部
１ｄ  軸部
１ｅ  取り付け部
１ｆ  軸部
１ｇ  棒部
１ｈ  トイレットペーパー横ズレ防止部
１ｉ  刃部
１ｊ  刃部受け部
１ｋ  ローラー部
２    フレキシブル部
２ａ  取り付け部
３    送り出し部
４    重り部
【図１】
2005144112.tif 000003
【図２】
2005144112.tif 000004
【図３】
2005144112.tif 000005
【図４】
2005144112.tif 000006
【図５】
2005144112.tif 000007
【図６】
2005144112.tif 000008
【図７】
2005144112.tif 000009
【図８】
2005144112.tif 000010
【図９】
2005144112.tif 000011
【図１０】
2005144112.tif 000012
【図１１】
2005144112.tif 000013
【図１２】
2005144112.tif 000014
【図１３】
2005144112.tif 000015
【図１４】
2005144112.tif 000016
【図１５】
2005144112.tif 000017
【図１６】
2005144112.tif 000018
【図１７】
2005144112.tif 000019
【図１８】
2005144112.tif 000020
【図１９】
2005144112.tif 000021
【図２０】
2005144112.tif 000022
【図２１】
2005144112.tif 000023
【図２２】
2005144112.tif 000024
【図２３】
2005144112.tif 000025
【図２４】
2005144112.tif 000026
【図２５】
2005144112.tif 000027
【図２６】
2005144112.tif 000028
【図２７】
2005144112.tif 000029
【図２８】
2005144112.tif 000030
【図２９】
2005144112.tif 000031
【図３０】
2005144112.tif 000032
【図３１】
2005144112.tif 000033
【図３２】
2005144112.tif 000034
【図３３】
2005144112.tif 000035
【図３４】
2005144112.tif 000036
【図３５】
2005144112.tif 000037
【図３６】
2005144112.tif 000038
【図３７】
2005144112.tif 000039
【図３８】
2005144112.tif 000040
【図３９】
2005144112.tif 000041
【図４０】
2005144112.tif 000042
【図４１】
2005144112.tif 000043
【図４２】
2005144112.tif 000044
【図４３】
2005144112.tif 000045
【図４４】
2005144112.tif 000046
【図４５】
2005144112.tif 000047